【手続補正書】
【提出日】平成23年10月28日(2011.10.28)
【手続補正１】
【補正対象書類名】特許請求の範囲
【補正対象項目名】全文
【補正方法】変更
【補正の内容】
【特許請求の範囲】
【請求項１】
装置本体と、前記装置本体に着脱可能なユニットと、前記装置本体に設けられており、駆動源による動力で回転する第１のカップリングと、前記ユニットに設けられており、前記第１のカップリングから前記駆動力を受ける第２のカップリングと、を有する画像形成装置において、
前記第１のカップリングと前記第２のカップリングのうちどちらか一方のカップリングは、凹形状であり、他方のカップリングは前記一方のカップリングに入る凸形状であり、前記凸形状のカップリングの外周部と、前記凹形状のカップリングの内周部、のうち少なくとも一方は傾斜部を有し、前記第１のカップリングと前記第２のカップリングの少なくとも一方は前記第１のカップリングの回転軸と平行な方向へ退避可能であり、
前記装置本体から前記ユニットを引抜く際に前記ユニットの離脱方向に働く力によって、前記第２のカップリングの回転軸が、前記第１のカップリングの回転軸よりも前記ユニット離脱方向に移動可能な構造になっており、前記第２のカップリングの回転軸の移動によって前記第１のカップリングと前記第２のカップリングの少なくとも一方が前記傾斜部に沿って前記第１のカップリングの回転軸と平行な方向に退避することを特徴とする画像形成装置。
【請求項２】
前記装置本体から前記ユニットを前記第１のカップリングの回転軸に対して垂直な方向へ引抜く際に前記ユニットの離脱方向に働く力によって、前記第２のカップリングが、前記第１のカップリングに対して、前記第１のカップリングの回転軸と異なる位置であって前記第１のカップリングと前記第２のカップリングが接触している位置を回動の中心に回動することを特徴とする請求項１に記載の画像形成装置。
【請求項３】
前記第１のカップリングの回転軸と異なる位置であって前記第１のカップリングと前記第２のカップリングが接触している位置を回動の中心に回動する前記第２のカップリングの回転軸が、前記第１のカップリングの回転軸に対して前記離脱方向に移動可能な距離のうち最大距離をαとし、前記第１のカップリングと前記第２のカップリングの少なくとも一方が前記傾斜部に沿って前記回転軸と平行な方向に退避することで前記凸形状のカップリングが前記凹形状のカップリングから離間することが可能になるまでに、前記第２のカップリングの回転軸が、前記第１のカップリングの回転軸に対して前記離脱方向に移動する距離をβとし、αはβよりも大きいことを特徴とする請求項２に記載の画像形成装置。
【請求項４】
装置本体と、前記装置本体に着脱可能なユニットと、前記装置本体に設けられており、駆動源による動力で回転する第１のカップリングと、前記ユニットに設けられており、前記第１のカップリングから前記駆動力を受ける第２のカップリングと、を有する画像形成装置において、
前記第１のカップリングと前記第２のカップリングのうちどちらか一方のカップリングは、傾斜部を備え、前記第１のカップリングと前記第２のカップリングのうちどちらか他方のカップリングは、前記傾斜部に当接可能な当節部を備え、
前記第１のカップリングと前記第２のカップリングの少なくとも一方は前記第２のカップリングの回転軸と平行な方向へ退避可能であり、前記ユニットは、前記装置本体から取り外される際に、前記装置本体に対して前記第２のカップリングの回転軸と垂直な方向である離脱方向に移動可能であり、
前記装置本体から前記ユニットが取り外される際に、前記傾斜部と前記当接部とが当接した当接状態で前記ユニットが前記離脱方向に移動することにより、前記第１のカップリングと前記第２のカップリングの少なくとも一方が前記傾斜部に沿って前記第２のカップリングの回転軸と平行な方向に移動し、前記当接状態が解消されることを特徴とする画像形成装置。
【請求項５】
前記第２のカップリングは、前記装置本体から前記ユニットを前記離脱方向に移動させる際に前記離脱方向に働く力によって、前記第２の回転軸が、前記第１のカップリングの回転軸よりも前記離脱方向に移動可能であることを特徴とする請求項４に記載の画像形成装置。
【請求項６】
前記第１のカップリングと前記第２のカップリングのどちらか一方のカップリングは、凹形状であり、他方のカップリングは前記一方のカップリングに入る凸形状であり、前記凸形状のカップリングの外周と、前記凹形状のカップリングの内周、のうち少なくとも一方に前記傾斜部を有することを特徴とする請求項４又は請求項５に記載の画像形成装置。
【請求項７】
前記第１のカップリングの回転軸と異なる位置であって、前記第１のカップリングと前記第２のカップリングが接触している位置を回動の中心として回動する際に、前記第２のカップリングの回転軸が前記第１のカップリングの回転軸に対して前記離脱方向へ移動可能な距離のうち最大距離をαとし、
前記第２のカップリングが前記傾斜部に沿って、前記当接状態が解消されるまで、前記第２のカップリングの回転軸が前記離脱方向へ移動する距離をβとし、前記αは前記βよりも大きいことを特徴とする請求項４から請求項６のいずれか一項に記載の画像形成装置。
【請求項８】
前記ユニットは、静電潜像が形成される感光体から転写材にトナー像を転写する無端状のベルトを備えるベルトユニットであることを特徴とする請求項４から請求項７のいずれか一項に記載の画像形成装置。
【請求項９】
前記第２のカップリングの回転軸と平行な方向へ退避可能なカップリングは、前記第２のカップリングであることを特徴とする請求項４から請求項８のいずれか一項に記載の画像形成装置。
【請求項１０】
前記第２のカップリングを付勢する付勢部材を備えることを特徴とする請求項９に記載の画像形成装置。
【請求項１１】
前記装置本体は、前記ユニットを前記装置本体に装着する時に、前記第２のカップリングを前記付勢方向と反対方向に退避させるガイド部を、備えることを特徴とする請求項１０に記載の画像形成装置。
【請求項１２】
前記第２のカップリングは、凸形状であることを特徴とする請求項８から請求項１１のいずれか一項に記載の画像形成装置。
【請求項１３】
前記ベルトユニットは、前記無端状のベルトに当接離間する当接離間部材を有し、
前記第２のカップリングは、前記当接離間部材を移動させるためのカップリングであることを特徴とする請求項８から請求項１２のいずれか一項に記載の画像形成装置。
【請求項１４】
駆動源による動力で回転する第１のカップリングと、前記第１のカップリングに対して着脱可能であり、前記第１のカップリングから前記駆動力を受ける第２のカップリングと、を有する駆動装置において、
前記第１のカップリングと前記第２のカップリングのうちどちらか一方のカップリングは、凹形状であり、他方のカップリングは前記一方のカップリングに入る凸形状であり、前記凸形状のカップリングの外周部と、前記凹形状のカップリングの内周部、のうち少なくとも一方は傾斜部を有し、
前記第１のカップリングと前記第２のカップリングの少なくとも一方は前記第１のカップリングの回転軸と平行な方向へ退避可能であり、前記第１のカップリングと前記第２のカップリングが噛み合った状態から前記第２のカップリングを前記第１のカップリングの回転軸に対して垂直な方向へ引抜く際に前記第２のカップリングの離脱方向に働く力によって、前記第２のカップリングの回転軸が、前記第１のカップリングの回転軸よりも前記ユニット離脱方向に移動可能な構造になっており、前記第２のカップリングの回転軸の移動によって前記第１のカップリングと前記第２のカップリングの少なくとも一方が前記傾斜部に沿って前記第１のカップリングの回転軸と平行な方向に退避することを特徴とする駆動装置。
【手続補正２】
【補正対象書類名】明細書
【補正対象項目名】００１０
【補正方法】変更
【補正の内容】
【００１０】
上記課題を解決するための本発明の画像形成装置は、装置本体と、前記装置本体に着脱可能なユニットと、前記装置本体に設けられており、駆動源による動力で回転する第１のカップリングと、前記ユニットに設けられており、前記第１のカップリングから前記駆動力を受ける第２のカップリングと、を有する画像形成装置において、前記第１のカップリングと前記第２のカップリングのうちどちらか一方のカップリングは、凹形状であり、他方のカップリングは前記一方のカップリングに入る凸形状であり、前記凸形状のカップリングの外周部と、前記凹形状のカップリングの内周部、のうち少なくとも一方は傾斜部を有し、前記第１のカップリングと前記第２のカップリングの少なくとも一方は前記第１のカップリングの回転軸と平行な方向へ退避可能であり、前記装置本体から前記ユニットを引抜く際に前記ユニットの離脱方向に働く力によって、前記第２のカップリングの回転軸が、前記第１のカップリングの回転軸よりも前記ユニット離脱方向に移動可能な構造になっており、前記第２のカップリングの回転軸の移動によって前記第１のカップリングと前記第２のカップリングの少なくとも一方が前記傾斜部に沿って前記第１のカップリングの回転軸と平行な方向に退避することを特徴とする。
【手続補正３】
【補正対象書類名】明細書
【補正対象項目名】００１１
【補正方法】変更
【補正の内容】
【００１１】
また、上記課題を解決する為に、本発明の他の画像形成装置は、装置本体と、前記装置本体に着脱可能なユニットと、前記装置本体に設けられており、駆動源による動力で回転する第１のカップリングと、前記ユニットに設けられており、前記第１のカップリングから前記駆動力を受ける第２のカップリングと、を有する画像形成装置において、前記第１のカップリングと前記第２のカップリングのうちどちらか一方のカップリングは、傾斜部を備え、前記第１のカップリングと前記第２のカップリングのうちどちらか他方のカップリングは、前記傾斜部に当接可能な当節部を備え、前記第１のカップリングと前記第２のカップリングの少なくとも一方は前記第２のカップリングの回転軸と平行な方向へ退避可能であり、前記ユニットは、前記装置本体から取り外される際に、前記装置本体に対して前記第２のカップリングの回転軸と垂直な方向である離脱方向に移動可能であり、前記装置本体から前記ユニットが取り外される際に、前記傾斜部と前記当接部とが当接した当接状態で前記ユニットが前記離脱方向に移動することにより、前記第１のカップリングと前記第２のカップリングの少なくとも一方が前記傾斜部に沿って前記第２のカップリングの回転軸と平行な方向に移動し、前記当接状態が解消されることを特徴とする。
また、上記課題を解決する為に、本発明の駆動装置は、駆動源による駆動力で回転する第１のカップリングと、前記第１のカップリングに対して着脱可能であり、前記第１のカップリングから前記駆動力を受ける第２のカップリングと、を有する駆動装置において、
前記第１のカップリングと前記第２のカップリングのうちどちらか一方のカップリングは、凹形状であり、他方のカップリングは前記一方のカップリングに入る凸形状であり、前記凸形状のカップリングの外周部と、前記凹形状のカップリングの内周部、のうち少なくとも一方は傾斜部を有し、前記第１のカップリングと前記第２のカップリングの少なくとも一方は前記第１のカップリングの回転軸と平行な方向へ退避可能であり、前記第１のカップリングと前記第２のカップリングが噛み合った状態から前記第２のカップリングを前記第１のカップリングの回転軸に対して垂直な方向へ引抜く際に前記第２のカップリングの離脱方向に働く力によって、前記第２のカップリングの回転軸が、前記第１のカップリングの回転軸よりも前記ユニット離脱方向に移動可能な構造になっており、前記第２のカップリングの回転軸の移動によって前記第１のカップリングと前記第２のカップリングの少なくとも一方が前記傾斜部に沿って前記第１のカップリングの回転軸と平行な方向に退避することを特徴とする。